(57)【特許請求の範囲】
【請求項１】
第１紙片、第２紙片、第３紙片を折り部を介して連接してなり、中央に位置する第２紙片裏面に第３紙片裏面を折り重ねた後、第３紙片表面に第１紙片裏面を折り重ねうるよう構成した封筒付き葉書用シートであって、前記第１紙片表面に、各紙片を折り重ねたとき表出し、往信時の葉書用宛先を表示するための葉書用往信宛先表示部を設け、前記第１紙片裏面に、隠蔽すべき情報を表示するための隠蔽情報表示部を設け、前記第３紙片表面に、返信時の封筒用宛先を表示するための封筒用返信宛名表示部を設ける一方、前記第２紙片と前記第３紙片の重ね合わせ面の、折り部側を除いた三周縁のうち一縁を封入部にするとともに、残りの二縁に剥離困難に強接着する強接着部を設け、前記強接着部を除いた第２紙片と第３紙片の重ね合わせ面と、第１紙片と第３紙片の重ね合わせ面に、それぞれ剥離可能に弱接着する弱接着部を設けた封筒付き葉書用シート。
【請求項２】
第１紙片、第２紙片、第３紙片を折り部を介してＺ字状に折り重ねうるよう連接してなる封筒付き葉書用シートであって、前記第１紙片表面に、各紙片を折り重ねたとき表出し、往信時の葉書用宛先を表示するための葉書用往信宛先表示部を設け、前記第１紙片裏面に、隠蔽すべき情報を表示するための隠蔽情報表示部を設け、前記第２紙片裏面に、返信時の封筒用宛先を表示するための封筒用返信宛先表示部を設ける一方、前記第２紙片と前記第３紙片の重ね合わせ面の、折り部側を除いた三周縁のうち一縁を封入部にするとともに、残りの二縁に剥離困難に強接着する強接着部を設け、前記強接着部を除いた第２紙片と第３紙片の重ね合わせ面と、第１紙片と第２紙片の重ね合わせ面に、それぞれ剥離可能に弱接着する弱接着部を設けた封筒付き葉書用シート。
【請求項３】
封入部は、第２紙片あるいは第３紙片のいずれか一方の一縁を帯状に削除して他方の縁部をフラップとなすよう構成したことを特徴とする請求項１又は請求項２に記載した封筒付き葉書用シート。
【発明の詳細な説明】
【０００１】
【発明の属する技術分野】
本発明は、宛先等の所定情報をプリンターにより印字して三枚に折り重ね、重ね合わせ面どうしが接着するよう構成した葉書用シートに関する。
【０００２】
【従来の技術】
従来、三枚の紙片を折り部を介して折り重ねうるように連接し、折り重ねたとき表出する所定の紙片表面に、往信宛先を印字するための往信宛先表示面部を設ける一方、各紙片どうしの重ね合わせ面に、返信宛先を印字するための返信宛先表示部と、隠蔽情報を印字するための隠蔽情報表示部とを設ける一方、各紙片の重ね合わせ面に、それぞれ剥離可能に弱接着する弱接着部を設けた往復葉書用シートは知られている。
【０００３】
【発明が解決しようとする課題】
しかしながら、上記従来の葉書用シートで構成した往復葉書にあっては、返信時において、メッセージを記入することはできても、必要に応じて書類等を同封することはできないという不便さがあった。
【０００４】
本発明は、以上の不便さを解消すべくなされたもので、葉書を受け取った宛名人が、返信時には封筒として再構成し、投函しうる封筒付き葉書用シートの提供を目的とする。
【０００５】
【課題を解決するための手段】
上記目的を達成するために、本発明の請求項１に記載した封筒付き葉書用シートは、第１紙片、第２紙片、第３紙片を折り部を介して連接してなり、中央に位置する第２紙片裏面に第３紙片裏面を折り重ねた後、第３紙片表面に第１紙片裏面を折り重ねうるよう構成した封筒付き葉書用シートであって、前記第１紙片表面に、各紙片を折り重ねたとき表出し、往信時の葉書用宛先を表示するための葉書用往信宛先表示部を設け、前記第１紙片裏面に、隠蔽すべき情報を表示するための隠蔽情報表示部を設け、前記第３紙片表面に、返信時の封筒用宛先を表示するための封筒用返信宛名表示部を設ける一方、前記第２紙片と前記第３紙片の重ね合わせ面の、折り部側を除いた三周縁のうち一縁を封入部にするとともに、残りの二縁に剥離困難に強接着する強接着部を設け、前記強接着部を除いた第２紙片と第３紙片の重ね合わせ面と、第１紙片と第３紙片の重ね合わせ面に、それぞれ剥離可能に弱接着する弱接着部を設けたものである。
【０００６】
また、本発明の請求項２に記載した封筒付き葉書用シートは、第１紙片、第２紙片、第３紙片を折り部を介してＺ字状に折り重ねうるよう連接してなる封筒付き葉書用シートであって、前記第１紙片表面に、各紙片を折り重ねたとき表出し、往信時の葉書用宛先を表示するための葉書用往信宛先表示部を設け、前記第１紙片裏面に、隠蔽すべき情報を表示するための隠蔽情報表示部を設け、前記第２紙片裏面に、返信時の封筒用宛先を表示するための封筒用返信宛先表示部を設ける一方、前記第２紙片と前記第３紙片の重ね合わせ面の、折り部側を除いた三周縁のうち一縁を封入部にするとともに、残りの二縁に剥離困難に強接着する強接着部を設け、前記強接着部を除いた第２紙片と第３紙片の重ね合わせ面と、第１紙片と第２紙片の重ね合わせ面に、それぞれ剥離可能に弱接着する弱接着部を設けたものである。
【０００７】
さらに、本発明の請求項３に記載した封筒付き葉書用シートは、請求項１又は請求項２に記載した封入部は、第２紙片あるいは第３紙片のいずれか一方の一縁を帯状に削除して他方の縁部をフラップとなすよう構成したものである。
【０００８】
【発明の実施の形態】
以下に、本発明の好適な実施の形態を添付図面に基づいて詳細に説明する。ここにおいて、図１〜図６は第１実施形態を示し、図１は封筒付き葉書用シートの表面図、図２は同じく裏面図、図３は封筒付き葉書用シートに各種情報を印刷して表示した印刷済みシートの表面図、図４は同じく裏面図、図５は印刷済みシートから作成した葉書の斜視図、図６は葉書の第１紙片を剥離した状態を示す斜視図である。
【０００９】
また、図７〜図１２は第２実施形態を示し、図７は封筒付き葉書用シートの表面図、図８は同じく裏面図、図９は封筒付き葉書用シートに各種情報を印刷して表示した印刷済みシートの表面図、図１０は同じく裏面図、図１１は印刷済みシートから作成した封筒付き葉書の斜視図、図１２は同葉書の第１紙片を剥離した状態を示す斜視図である。
【００１０】
さらに、図１３〜図１８は第３実施形態を示し、図１３は封筒付き葉書用シートの表面図、図１４は同じく裏面図、図１５は封筒付き葉書用シートに各種情報を印刷して表示した印刷済みシートの表面図、図１６は同じく裏面図、図１７は同シートから作成した封筒付き葉書の斜視図、図１８は同葉書の上紙片を剥離した状態を示す斜視図である。
【００１１】
先ず、図１〜図６に基づいて第１実施形態を説明する。図１〜図４に示すように、封筒付き葉書用シート１は、折り兼切り用ミシン目２と折り用ミシン目３を介して、図１及び図３において左から右に、第１紙片４、第２紙片５、第３紙片６を連接したものであり、第２紙片４裏面に第３紙片６裏面を折り重ねた後、該第３紙片６表面に第１紙片４裏面を折り重ねうるよう構成する。第１紙片４は、表面に葉書用往信宛先４ａを印字するための葉書用往信宛先表示部を設け、裏面に隠蔽すべき情報（以下隠蔽情報という）４ｂを印字するための隠蔽情報表示部を設ける。第２紙片５は、表面に差出人情報や他人に見られてもよい情報を表示するための表示部を設ける。第３紙片６は、表面に封筒用返信宛先６ａを印字するための封筒用返信宛先表示部を設ける。前記第１紙片４は、法定葉書の基準に合致する大きさであり、第３紙片６は、その側部を帯状に削除した状態になるよう、第２紙片５より横幅を狭く形成してある。
【００１２】
図１〜図４に示すように、第１紙片４及び第２紙片５の各裏面全体と、第３紙片６表裏両面には、それぞれ通常では接着せず所定の圧力が付与されると接着可能となり、接着後に剥離可能な接着力が弱い公知の感圧性接着剤７が塗布してある。また、前記第３紙片６裏面における上下縁には、前記接着力が弱い感圧性接着剤７の上から、通常では接着せず所定の圧力が付与されると接着可能となり、接着後は接着力が強く剥離困難になるよう、公知の接着力増強剤８が塗布してある。すなわち、前記第２紙片５と前記第３紙片６を折り重ねた状態（図２及び図４に一点鎖線で示す）において、折り部（折り兼切り用ミシン目３）側を除いた三周縁のうち一縁たる側縁を封入部９にするとともに、残りの二縁たる上下縁を接着力が強く剥離困難に強接着する強接着部となし、前記強接着部を除いた第２紙片５と第３紙片６の封入部９を含む重ね合わせ面である前記各紙片５，６の裏面、第１紙片４と第３紙片６の重ね合わせ面を、それぞれ接着力が弱い感圧性接着剤７により剥離可能に弱接着する弱接着部としたものである。
【００１３】
以上のように構成した封筒付き葉書用シート１によって、図５に示す封筒付き葉書１ｂを作成するには、先ず、第１紙片４表面の葉書用往信宛先表示部に往信時の葉書用宛先４ａを、第１紙片４裏面の隠蔽情報表示部に隠蔽情報４ｂを、第３紙片６表面の封筒用返信宛名表示部に返信時の封筒用宛先６ａを、それぞれ印刷して印刷済みシート１ａを作成する。続いて、この印刷済みシート１ａを、図４の状態において、折り用ミシン目３で折って第３紙片６裏面を第２紙片５裏面に折り重ねた後、折り兼切り用ミシン目２で折って第１紙片４裏面を第３紙片６表面に折り重ねてから所定の圧を付与する。このように折り重ねた各紙片４，５，６に所定の圧を付与すると、接着力増強剤８を塗布した部分は剥離困難に強接着し、また、感圧性接着剤７を介して折り重なった部分の面は剥離可能に弱接着して、投函可能な封筒付き葉書１ｂが作成される（図５参照）。
【００１４】
この封筒付き葉書１ｂを受領した宛名人は、図６に明示したように、第１紙片４を摘んで第３紙片６から剥離し、折り兼切り用ミシン目２で切断して切り離すとともに、第２紙片５と第３紙片６の弱接着部を剥離することによって、封筒用の返信宛名６ａが表出した法規上適正な定形の封筒１ｃを形成しうる。この封筒１ｃは、剥離困難な強接着部である上下縁と、折り用ミシン目３の折り部との三周縁が非開放縁となり、開放状態の残りの一縁部分が封入部９となる。この封入部９は、第２紙片５と第３紙片６の幅の差により突出した第２紙片５の帯状部分がフラップ９ａとなる。なお、切り離した第１紙片４裏面には隠蔽情報４ｂが印刷されているので、これを視認することが可能である。
【００１５】
したがって、宛名人は、返信文書（図示せず）を封筒１ｃ内に挿入して、フラップ９ａで封緘することにより、通常の封筒と同様に使用することができる。
【００１６】
次に、図７〜図１２に基づいて第２実施形態を説明する。図７〜図１０に示すように、封筒付き葉書用シート１１は、折り兼切り用ミシン目１２と折り用ミシン目１３を介して、図７及び図９において左から右に、第１紙片１４、第２紙片１５、第３紙片１６を連接したものであり、第２紙片１５裏面に第３紙片１６裏面を折り重ねた後、該第３紙片１６表面に第１紙片１４裏面を折り重ねうるよう構成する。第１紙片１４は、表面に葉書用往信宛先１４ａを印字するための葉書用往信宛先表示部を設け、裏面に隠蔽情報１４ｂを印字するための隠蔽情報表示部を設ける。第２紙片１５は、表面に差出人情報や他人に見られてもよい表示部を設ける。第３紙片１６は、表面に封筒用返信宛先１６ａを印字するための封筒用返信宛先表示部を設ける。第１紙片１４は、法定葉書の規定に合致する大きさに形成し、第３紙片１６の上縁部には、帯状に削除するための切り用ミシン目２０を設ける。
【００１７】
図７〜図１０に示すように、第１紙片１４及び第２紙片１５の各裏面全体と、第３紙片１６表裏両面全体には、それぞれ通常では接着せず所定の圧力が付与されると接着可能となり、接着後に剥離可能な接着力が弱い公知の感圧性接着剤１７が塗布してある。また、前記第３紙片１６裏面における、折り用ミシン目１３とは反対側の側縁及び下縁に沿って、前記接着力が弱い感圧性接着剤１７の上から、通常では接着せず所定の圧力が付与されると接着可能となり、接着後は接着力が強く剥離困難になるよう、上述の接着力増強剤８と同様の接着力増強剤１８を塗布する。すなわち、前記第２紙片１５と前記第３紙片１６を重ね合わせ、切り用ミシン目２０を切断した状態（図８及び図１０に一点鎖線で示す）において、折り部（折り用ミシン目１３）側を除いた三周縁のうち一縁たる上縁部を封入部１９にするとともに、残りの二縁たる、側縁（ただし、後述する切り用ミシン目２０より上側部分を除く）及び下縁を接着力が強く剥離困難に強接着する強接着部とし、前記強接着部を除いた第２紙片１５と第３紙片１６の封入部１９を含む重ね合わせ面、第１紙片１４と第３紙片１６の重ね合わせ面を、それぞれ接着力が弱い感圧性接着剤１７により剥離可能に弱接着する弱接着部としたものである。
【００１８】
以上のように構成した封筒付き葉書用シート１１によって、図１１に示す封筒付き葉書１１ｂを作成するには、先ず、第１紙片１４表面の葉書用往信宛先表示部に往信時の葉書用宛先１４ａを、第１紙片１４裏面の隠蔽情報表示部に隠蔽情報１４ｂを、第３紙片１６表面の封筒用返信宛名表示部に返信時の封筒用宛先１６ａを、それぞれ印刷して印刷済みシート１１ａを作成する。続いて、この印刷済みシート１１ａを、図１０の状態において、折り用ミシン目１３で折って第３紙片１６裏面を第２紙片１５裏面に重ね合わせた後、折り兼切り用ミシン目１２で折って第１紙片１４裏面を第３紙片１６表面に重ね合わせてから、所定の圧を付与する。このように折り重ねた各紙片１４，１６，１５に所定の圧を付与すると、接着力増強剤１８を介して重なった部分の面は剥離困難に強接着し、また感圧性接着剤１７を介して重なった部分の面は剥離可能に弱接着して、投函可能な封筒付き葉書１１ｂが構成される（図１１参照）。
【００１９】
この封筒付き葉書１１ｂを受領した宛名人は、図１２に明示したように、第１紙片１４を摘んで第３紙片１６から剥離し、折り兼切り用ミシン目１２で切断して切り離すとともに、切り用ミシン目２０で切断して第３紙片６上縁を帯状に削除し、さらに、第３紙片１６と第２紙片１５の封入部１９を含む弱接着部を剥離することによって封筒用宛先１６ａが表出した法規上適正な定形の封筒１１ｃを形成しうる。この封筒１１ｃは、剥離困難な強接着部である、切り用ミシン目２０寄り上側部分を除いた側縁及び下縁と、折り用ミシン目１３の折り部との三周縁が非開放縁となり、開放状態の残りの一縁たる上縁部分が封入部１９となる。この封入部１９にあっては、第３紙片１６上縁の帯状削除部分に対応する、第２紙片１５上縁の帯状部分がフラップ１９ａとなる。なお、切り離した第１紙片１４裏面には隠蔽情報１４ｂが印刷されているので、これを視認することが可能である。
【００２０】
次に、図１３〜図１８に基づいて第３実施形態を説明する。図１３及び図１４に示すように、封筒付き葉書用シート２１は、折り兼切り用ミシン目２２と折り用ミシン目２３を介してＺ字状に折り重ねるうるよう、第１紙片２４、第２紙片２５、第３紙片２６を、図１３及び図１５において右から左に連接してなるものである。第１紙片２４は、表面に往信時の葉書用宛先２４ａを印字するための葉書用往信宛先表示部を設け、裏面に隠蔽情報２４ｂを印字するための隠蔽情報表示部を設ける。第２紙片２５は、裏面に返信時の封筒用宛先２５ｂを印字するための封筒用返信宛先表示部を設ける。第１紙片２４は法定葉書の基準に合致した大きさに形成し、第３紙片２６は、その側部を帯状に削除した状態になるよう、第２紙片２５より横幅を狭く形成する。
【００２１】
また、第１紙片２４の裏面全体と、第２紙片２５の表裏両面全体と、第３紙片２６の表面全体とには、それぞれそれぞれ通常では接着せず所定の圧力が付与されると接着可能となり、接着後に剥離可能な接着力が弱い、上述の各感圧性接着剤７，１７と同様の感圧性接着剤２７が塗布してある。さらに、第３紙片２６表面の上下縁には、通常では接着せず所定の圧力が付与されると接着可能となり、接着後に接着力が強く剥離困難になるよう、上述の各接着力増強剤８，１８と同様の接着力増強剤２８を、前記接着力の弱い感圧性接着剤２７の上から塗布してある。すなわち、前記第２紙片２５と前記第３紙片２６を重ね合わせた状態（図１３及び図１５の一点鎖線で示す）において、折り部（折り用ミシン目２３）側を除いた三周縁のうち一縁たる側縁を封入部２９にするとともに、残りの二縁たる上下縁を接着力が強く剥離困難に強接着する強接着部とし、前記強接着部を除いた第２紙片２５と第３紙片２６の封入部２９を含む折り重ね面、第１紙片２４と第２紙片２５の折り重ね面を、それぞれ接着力が弱い感圧性接着剤２７により剥離可能に弱接着する弱接着部としたものである。
【００２２】
以上のように構成した封筒付き葉書用シート２１によって、図１７に示す封筒付き葉書２１ｂを作成するには、先ず、第１紙片２４表面の葉書用往信宛先表示部に葉書用宛先２４ａを、第１紙片２４裏面の隠蔽情報表示部に隠蔽情報２４ｂを、第２紙片２５裏面の封筒用返信宛先表示部に封筒用宛先２５ｂを、それぞれ印刷して印刷済みシート２１ａを作成する。続いて、図１５、図１６の状態において、この印刷済みシート２１ａを、折り用ミシン目２３で折って第３紙片２６表面を第２紙片２５表面に重ね合わせた後、折り兼切り用ミシン目２２で折って第１紙片２４裏面を第２紙片２５裏面に重ね合わせてから、所定の圧を付与する。このように折り重ねた紙片２４，２５，２６に所定の圧を付与すると、第２紙片２５と第３紙片２６の上下縁は接着力増強剤２８により剥離困難に強接着し、また、第１紙片２４と第２紙片２５及び第２紙片２５と第３紙片２６は、それぞれ感圧性接着剤２７により剥離可能に弱接着して、投函可能な封筒付き葉書２１ｂが構成される（図１７参照）。
【００２３】
この封筒付き葉書２１ｂを受領した宛名人は、図１８で理解できるように、第１紙片２４を摘んで第２紙片２５から剥離し、折り兼切り用ミシン目２２で切断して切り離すとともに、接着力の弱い感圧性接着剤２７により弱接着状態にある、封入部２９を含む第２紙片２５と第３紙片２６を剥離することによって封筒用宛先２５ｂが表出した封筒２１ｃを形成しうる。この封筒２１ｃは、接着力増強剤２８により剥離困難に強接着した上下縁と、折り用ミシン目２３で折られた縁との三周縁が非開放縁となり、開放状態の残りの一縁部分が封入部２９となる。この封入部２９は、第２紙片２５と第３紙片２６の幅の差に該当する第２紙片２５の帯状突出部分がフラップ２９ａとなる。なお、切り離した第１紙片２４の裏面には隠蔽情報２４ｂが印刷されているので、これを視認することが可能である。
【００２４】
上述の各実施形態において、通常では接着せず所定の圧力が付与されると接着可能となり、接着後に剥離可能な上述の感圧性接着剤７，１７，２７としては、例えば、天然ゴムにスチレンとメタクリル酸メチルとをグラフト共重合させて得られた天然ゴムラテックスをベースに、テルペン樹脂系粘着付与剤とシリカゲルを加えてなるものを挙げることができる。一方、接着力の強い感圧性接着剤８，１８，２８としては、通常では接着せず所定の圧力が付与されると接着可能となり、接着後に剥離困難な接着力を強くするために、前記接着力の弱い感圧性接着剤７，１７，２７の上から塗布する接着力増強剤８，１８，２８は、該各接着力の弱い感圧性接着剤を活性化させる作用を有する、一般に知られているものを用いる。
【００２５】
なお、本発明は上記各実施の形態に限定されるものではなく、例えば、第２紙片５，１５，２５と第３紙片６，１６，２６の一部を強く、残りの部分は弱く接着させる接着構造としては、上記各実施形態のように、感圧性接着剤７，１７，２７を塗布した後に、必要な部分に接着力増強剤８，１８，２８を塗布するのではなく、接着力の異なる二種類の感圧性接着剤を、それぞれ必要な部分に各別に塗布する方法を採用するほか、感圧性接着剤７，１７，２７を塗布した上から、必要な部分に、通常では接着せず所定の圧力が付与されると接着可能となり、接着後に剥離困難な感圧性接着剤を塗布する方法を採用してもよい。
【００２６】
【発明の効果】
以上のように、請求項１又は請求項２に記載した本発明は、封筒付き葉書を受け取った後に、封筒用返信宛先が既に表示された返信用封筒を容易に得ることが可能で、書類等を同封することができるという効果を奏する。
【００２７】
さらに、請求項３に記載した本発明は、請求項１又は請求項２に記載した発明の効果に加えて、フラップを有する返信用封筒を得ることができるという効果を奏する。
【図面の簡単な説明】
【図１】第１実施形態における、封筒付き葉書用シートの表面図。
【図２】第１実施形態における、同じく裏面図。
【図３】第１実施形態における、封筒付き葉書用シートに各種情報を印刷して表示した印刷済みシートの表面図。
【図４】第１実施形態における、同じく裏面図。
【図５】第１実施形態における、印刷済みシートから作成した葉書の斜視図。
【図６】第１実施形態における、葉書の第１紙片を剥離した状態を示す斜視図。
【図７】第２実施形態における、封筒付き葉書用シートの表面側を示す平面図。
【図８】第２実施形態における、同じく裏面図。
【図９】第２実施形態における、封筒付き葉書用シートに各種情報を印刷して表示した印刷済みシートの表面図。
【図１０】第２実施形態における、同じく裏面図。
【図１１】第２実施形態における、同シートから作成した封筒付き葉書の斜視図。
【図１２】第２実施形態における、同葉書の第１紙片を剥離した状態を示す斜視図。
【図１３】第３実施形態における、封筒付き葉書用シートの表面側を示す平面図。
【図１４】第３実施形態における、同じく裏面図。
【図１５】第３実施形態における、封筒付き葉書用シートに各種情報を印刷して表示した印刷済みシートの表面図。
【図１６】第３実施形態における、同じく裏面図。
【図１７】第３実施形態における、同シートから作成した封筒付き葉書の斜視図。
【図１８】第３実施形態における、同葉書の第１紙片を剥離した状態を示す斜視図。
【符号の説明】
１，１１，２１  封筒付き葉書用シート
１ａ，１１ａ，２１ａ  印刷済みシート
１ｂ，１１ｂ，２１ｂ  封筒付き葉書
２，１２，２２  折り兼切り用ミシン目
３，１３，２３  切り用ミシン目
４，１４，２４  第１紙片
４ａ，１４ａ，２４ａ  葉書用宛先
４ｂ，１４ｂ，２４ｂ  隠蔽情報
５，１５，２５  第２紙片
６，１６，２６  第３紙片
６ａ，１６ａ，２５ｂ  封筒用宛先
７，１７，２７  感圧性接着剤
８，１８，２８  接着力増強剤
９，１９，２９  封入部
９ａ，１９ａ，２９ａ  フラップ
２０  切り用ミシン目
【図１】
0003667498.tif 000002
【図２】
0003667498.tif 000003
【図３】
0003667498.tif 000004
【図４】
0003667498.tif 000005
【図５】
0003667498.tif 000006
【図６】
0003667498.tif 000007
【図７】
0003667498.tif 000008
【図８】
0003667498.tif 000009
【図９】
0003667498.tif 000010
【図１０】
0003667498.tif 000011
【図１１】
0003667498.tif 000012
【図１２】
0003667498.tif 000013
【図１３】
0003667498.tif 000014
【図１４】
0003667498.tif 000015
【図１５】
0003667498.tif 000016
【図１６】
0003667498.tif 000017
【図１７】
0003667498.tif 000018
【図１８】
0003667498.tif 000019